(57)【要約】      （修正有）【課題】形態の変化を簡単、迅速に行うことができるバッグを提供する。【解決手段】上方に開口部を有する袋状、かつ、四角形状の本体１０と、前記本体１０の第一の面１０ａに設けられた第一の紐２０ａと、前記本体１０の第二の面に設けられた第二の紐２０ｂと、前記本体１０の第一の面上方に設けられ、前記本体１０との間で前記第一の紐２０ａを上下に移動可能なように挟み込む第一の補強部材３０ａと、前記本体１０の第二の面上方に設けられ、前記本体１０との間で前記第二の紐２０ｂを上下に移動可能なように挟み込む第二の補強部材と、を有し、第一の紐２０ａと前記第二の紐２０ｂが、前記本体１の底部において下部係止具４０を挟み込んで縫着され、前記第一の紐２０ａ、前記第二の紐２０ｂのいずれか、または、両方が、前記本体１０を上下に折り曲げた際に、前記下部係止具４０と係止する上部係止具４１ａを備えるバッグ１００。【選択図】図１
2018099289.tif 000002
【特許請求の範囲】
【請求項１】
上方に開口部を有する袋状、かつ、四角形状の本体と、
前記本体の第一の面に設けられた第一の紐と、
前記本体の第二の面に設けられた第二の紐と、
前記本体の第一の面上方に設けられ、前記本体との間で前記第一の紐を上下に移動可能なように挟み込む第一の補強部材と、
前記本体の第二の面上方に設けられ、前記本体との間で前記第二の紐を上下に移動可能なように挟み込む第二の補強部材と、
を有し、
前記第一の紐と前記第二の紐が、前記本体の底部において下部係止具を挟み込んで縫着され、
前記第一の紐、前記第二の紐のいずれか、または、両方が、前記本体を上下に折り曲げた際に、前記下部係止具と係止する上部係止具を備えることを特徴とするバッグ。
【請求項２】
前記本体が、紙、または不織布からなることを特徴とする請求項１に記載のバッグ。
【請求項３】
前記本体が、クラフト紙製の重袋からなることを特徴とする請求項１または２に記載のバッグ。
【発明の詳細な説明】
【技術分野】
【０００１】
本発明は、用途に応じて、大容量のハンドバッグ、小容量のハンドバッグ、ショルダーバッグと形態を変えられるバッグに関する。
【背景技術】
【０００２】
従来から、用途に応じて、ハンドバッグ、ショルダーバッグ、リュックサック等と形態を変えられるバッグが知られている（特許文献１、２）。しかし、これまでのバッグは、形態を変えるために、紐の長さを変える、紐の固定位置を変える、接続する紐の組み合わせを変える等の煩雑な作業が必要であったため、結局、形態を変えずに用られることが多かった。
【先行技術文献】
【特許文献】
【０００３】
【特許文献１】実用新案登録第３０２４７３４号公報
【特許文献２】実用新案登録第３１７５１９５号公報
【発明の概要】
【発明が解決しようとする課題】
【０００４】
本発明は、形態の変化を簡単、迅速に行うことができるバッグを提供することを課題とする。
【課題を解決するための手段】
【０００５】
１．上方に開口部を有する袋状、かつ、四角形状の本体と、
前記本体の第一の面に設けられた第一の紐と、
前記本体の第二の面に設けられた第二の紐と、
前記本体の第一の面上方に設けられ、前記本体との間で前記第一の紐を上下に移動可能なように挟み込む第一の補強部材と、
前記本体の第二の面上方に設けられ、前記本体との間で前記第二の紐を上下に移動可能なように挟み込む第二の補強部材と、
を有し、
前記第一の紐と前記第二の紐が、前記本体の底部において下部係止具を挟み込んで縫着され、
前記第一の紐、前記第二の紐のいずれか、または、両方が、前記本体を上下に折り曲げた際に、前記下部係止具と係止する上部係止具を備えることを特徴とするバッグ。
２．前記本体が、紙、または不織布からなることを特徴とする１．に記載のバッグ。
３．前記本体が、クラフト紙製の重袋からなることを特徴とする１．または２．に記載のバッグ。
【発明の効果】
【０００６】
本発明のバッグは、大容量のハンドバッグ、小容量のハンドバッグ、ショルダーバッグと異なる形態で用いることができる。本発明のバッグは、形態を容易に、かつ、迅速に変えることができ、その日の服装や気分に合わせて、異なる形態のバッグとして用いることができる。
本発明のバッグは、本体を紙、または不織布から形成することにより、布帛や皮革に比べて軽量化することができる。特に、クラフト紙からなる重袋は十分な強度を有し、また、印刷により多様なデザインを安価に付与することができるため、デザインの異なるバッグを少量多品種で生産することができる。
【図面の簡単な説明】
【０００７】
【図１】本発明のバッグの一実施態様を示す図。
【図２】一実施態様であるバッグを小容量のハンドバッグとした図。
【図３】一実施態様であるバッグをショルダーバッグとした図。
【発明を実施するための形態】
【０００８】
図１に、本発明の一実施態様であるバッグを示す。なお、図１に示す一実施態様において、図は、第一の面側を表し、図に現れない第二の面側は、第一の面と同一の構成を備えている。
図１に示す一実施態様であるバッグ１００は、上方に開口部１１を有する袋状、かつ、四角形状の本体１０と、本体１０の第一の面１０ａに設けられた第一の紐２０ａと、本体の第二の面１０ｂ（図示せず）に設けられた第二の紐２０ｂと、本体の第一の面上方に設けられ、本体１０との間で第一の紐２０ａを上下に移動可能なように挟み込む第一の補強部材３０ａと、本体の第二の面上方に設けられ、本体１０との間で第二の紐２０ｂを上下に移動可能なように挟み込む第二の補強部材３０ｂ（図示せず）とを有する。以下、第一の紐２０ａと第二の紐２０ｂとを合わせて「紐２０」、第一の補強部材３０ａと第二の補強部材３０ｂを合わせて「補強部材３０」という場合もある。
【０００９】
本体１０は、内部に物品を収納するものである。本体上方の開口部１１には、マグネット、ファスナー等を設け、開閉自在とすることができる。一実施態様であるバッグ１００は、本体１０がクラフト紙からなる重袋により形成されている。
重袋は、一枚、または、重ね合わせた複数枚のクラフト紙を、筒状となるように折り畳み、一端を補強用テープで覆い縫着したものであり、セメント、米等の重量物を収納するために広く用いられている。また、重袋は、内容物に応じて耐湿性を付与するために、ポリエチレン等の高分子フィルムが重ね合わせられる場合がある。本体１０として重袋を使用する場合は、高分子フィルムを重ね合わせた重袋を使用することもできる。高分子フィルムを備える重袋は、クラフト紙のみからなる重袋と比較して破れにくく、防水性に優れている。
【００１０】
重袋は、印刷により様々なデザインを付与することができる。下記で詳述するが、第一の面１０ａと第二の面１０ｂ、各面の上部と下部のいずれか、または両方に異なるデザインを印刷することにより、本発明のバッグを形態を変えて用いる場合に、外観を大きく変化させることができ、服装や気分等に応じて、異なるデザインのバッグとすることができる。また、本体１０を重袋から形成し、第一の紐２０ａ、第二の紐２０ｂ、第一の補強部材３０ａ、第二の補強部材３０ｂの一以上を布帛、皮革等から形成することにより、素材の違いによる多様な質感を表現でき、優れた意匠性を付与することができる。
【００１１】
本発明のバッグにおいて、本体１０を形成する材料は、クラフト紙に制限されず、クラフト紙以外の紙、不織布、布帛、天然皮革、人工皮革等を用いることができる。これらの中で、紙、または、不織布が、軽量、かつ、折り畳みやすいため好適に利用することができる。
【００１２】
本体１０を紙から形成する場合、パルプをシート状にした紙を特に制限することなく使用することができるが、バッグとした際に実用的な強度を有する点から、木材パルプを主成分とする紙を用いることが好ましい。木材パルプとしては、化学パルプ（針葉樹の晒または未晒クラフトパルプ、広葉樹の晒または未晒クラフトパルプ等）、機械パルプ（グラウンドパルプ、サーモメカニカルパルプ、ケミカルサーモメカニカルパルプ等）、脱墨パルプ等のパルプを、単独または任意の割合で混合して使用することができる。これらの中で、針葉樹クラフトパルプ（ＮＫＰ）を５０重量％以上含むことが好ましく、６０重量％以上含むことがより好ましく、８０重量％以上含むことがさらに好ましい。針葉樹クラフトパルプを５０重量％以上とすることにより、原紙の強度を高くし、耐久性を向上させることができる。また、強度の点から、原料パルプは未晒であることが好ましく、特に針葉樹未晒クラフトパルプ（ＮＵＫＰ）を用いることが好ましい。
【００１３】
紐２０は、バッグ１００をハンドバッグとして用いる際の持ち手となるものである。また、下記で詳述するが、紐２０は、バッグ１００をショルダーバッグとして用いる際のショルダーストラップとなるものである。紐２０は、帯状であることが、圧力が分散し、使用感に優れるため好ましい。
第一の紐２０ａ、第二の紐２０ｂは、それぞれの両端が、本体１０の底部において下部係止具４０を挟み込むように縫着されており、それ以外の部分で本体１０に、縫着、接着等により固定されていない。また、第一の紐２０ａ、第二の紐２０ｂは、それぞれ、本体１０を上下に折り曲げた際に、下部係止具４０と係止する第一の上部係止具４１ａ、第二の上部係止具４１ｂ（図示せず）を備える。以下、第一の上部係止具４１ａと第二の上部係止具４１ｂとを合わせて「上部係止具４１」という場合もある。ここで、本発明のバッグは、折り畳んで使用する際に、本体１０の底部が補強部材３０の下方に位置する。そのため、上部係止部４１は、本発明のバッグを大容量のバッグとして、すなわち、折り畳まずに使用した際に、補強部材３０のすぐ下方に位置する箇所に設けられる。また、上部係止具４１は、第一の紐２０ａ、第二の紐２０ｂの一方にのみ設けることもできる。
【００１４】
下部係止具４０と上部係止具４１とは、対となって互いに係止するものである。下部係止具４０、上部係止具４１は、互いに係止できるものであれば特に制限されず、バックル、ナスカン、フック、リング、ホック、マグネット等を適宜用いることができる。
【００１５】
補強部材３０は、開口部１１を補強するものである。補強部材３０は、本体１０との間に紐２０を挟み込むように、本体１０に縫着される。上記したように、紐２０は、本体１０の底部に縫着されているが、それ以外の部分は本体１０と固定されていないため、補強部材３０に挟み込まれた状態で上下に移動可能である。紐２０は、上下に移動可能であるが、横方向への移動は補強部材３０により制限されている。本発明のバッグは、紐２０の横方向への移動が制限されているため、バッグに重量物を収納した場合でも、持ち手の間隔が狭くならず、バッグを安定した状態で保持することができる。
【００１６】
上記したように、本発明のバッグにおいて、紐２０は、本体１０の底部にのみ縫着されている。そのため、本発明のバッグは、バッグに収容された物品の重みを紐２０で支え、本体１０には張力がほとんど加わらない。本発明のバッグは、本体１０を紙から形成した場合であっても、紙からなる本体１０にはほとんど張力が加わっていないため、使用時に突起物等が接触しても破れにくい。
【００１７】
「使用態様」
本発明のバッグは、用途に応じて、大容量のハンドバッグ、小容量のハンドバッグや小袋、ショルダーバッグと形態を変えることができる。本発明のバッグの大きさは特に制限されないが、大容量のハンドバッグとしたときに、紙おむつ、ティッシュペーパー、トイレットペーパーのような嵩高い商品が収納できる大きさであることが好ましい。例えば、本体１０の幅方向の長さが３５ｃｍ以上５０ｃｍ以下、伸ばした状態の本体１０の長さが５０ｃｍ以上７０ｃｍ以下、折り畳んだ状態の本体１０の長さが３０ｃｍ以上４０ｃｍ以下の範囲が挙げられる。
【００１８】
以下、一実施態様であるバッグ１００の各使用態様を図２、３に基づいて説明する。
一実施態様であるバッグ１００は、折り畳まずに伸ばした状態で大容量のハンドバッグとして使用することができる（図１）。
一実施態様であるバッグ１００を、第二の面１０ｂを外側とする小容量のハンドバッグとして使用する場合は、本体１０を第一の面１０ａを内側として上下方向に折り畳み、下部係止具４０と上部係止具４１ａとを互いに係止する（図２）。第一の紐２０ａは、上部係止具４１ａが下部係止具４０と係止されているため、第一の紐２０ａのみを持ってバッグ１００を持ち上げても、第一の紐２０ａが移動することなくバッグ１００を持ち上げることができる。
この状態から下部係止具４０と上部係止具４１ａの係止を解き、第一の紐２０ａを第一の補強部材３０ａから上方に引き出すことにより、ショルダーバッグとすることができる（図３）。図３では、第一の紐２０ａを第二の紐２０ｂの持ち手部分に通すことにより、使用時に開口部１１が大きく開かないようにしているが、マグネット、ファスナー等により、開口部１１を閉じることもできる。
【００１９】
本発明のバッグは、小容量のハンドバッグ、またはショルダーバッグとして用いる場合、本体１０の第一の面１０ａ、第二の面１０ｂのいずれかが外側となる。また、外側となる面が上下に分割されて、両側面に位置する。本発明のバッグは、大容量のハンドバッグとして使用する場合と、小容量のハンドバッグ、または、ショルダーバッグとして使用する場合に、外側に位置する面が異なるため、第一の面１０ａと第二の面１０ｂ、各面の上部と下部のいずれか、または両方に異なるデザインを印刷することにより、形態とともに外観、印象が大きく変化し、その日の気分や服装に応じて、ファッション性の異なるバッグとして用いることができる。
【符号の説明】
【００２０】
１００  バッグ
１０    本体
１０ａ  第一の面
１０ｂ  第二の面
１１    開口部
２０ａ  第一の紐
２０ｂ  第二の紐
３０ａ  第一の補強部材
３０ｂ  第二の補強部材
４０    下部係止具
４１ａ  第一の上部係止具
４１ｂ  第二の上部係止具
【図１】
2018099289.tif 000003
【図２】
2018099289.tif 000004
【図３】
2018099289.tif 000005